(57)【要約】【課題】本発明はパイプに取付けてティッシュペーパー箱をベッドの近くやパーソナルコンピューターの近くなど自在に取付場所が選択出来ると共にティッシュペーパー箱の向きが横や縦又は水平或いは吊下状態でも自在に対応出来るティッシュペーパー箱用保持具を提供することを目的とする。【解決手段】コの字状な保持本体１の一面に、弾力性を有する挟着片２が設けられ、保持本体１の一面両端部に吸盤４を設けると共に結束バンド５を備え、保持本体１には吸盤，取付ネジ，両面粘着テープなどの取付手段３を備える構造とする。また保持本体１に逃げ溝１１を設けたり、保持本体１の一面の外側には、板状で且つ中央部が軸支された可動板６を設けたりすると良い。【選択図】　　　　図１
2004042946.tif 000002
【特許請求の範囲】
【請求項１】
板材がコの字状に折曲されて保持本体（１）を形成し、該保持本体（１）の一面に弾力性を有する挟着片（２）が設けられ、ティッシュペーパー箱（７）を前記保持本体（１）に挟着すると共に該保持本体（１）が壁面やテーブル面などの平面部に取付けるための取付手段（３）を備えたティッシュペーパー箱用保持具に於いて、前記保持本体（１）の折曲した一面両端部には、吸盤（４）を設けると共に結束バンド（５）を備えたことを特徴とするティッシュペーパー箱用保持具。
【請求項２】
前記保持本体（１）には、ティッシュペーパー箱（７）の取出口（７１）が開放されるための逃げ溝（１１）を設けた請求項１ティッシュペーパー箱用保持具。
【請求項３】
前記保持本体（１）の一面の外側には、その一面と同じ大きさの板状で且つ中央部が軸支された可動板（６）を設け、前記吸盤（４）と前記結束バンド（５）が前記可動板（６）から前記保持本体（１）の一面に貫通して設けられた請求項１又は２記載のティッシュペーパー箱用保持具。
【請求項４】
前記取付手段（３）が、吸盤，取付ネジ，両面粘着テープの内の少なくとも１つである請求項１記載のティッシュペーパー箱用保持具。
【発明の詳細な説明】
【０００１】
【発明の属する技術分野】
本発明はティッシュペーパー箱を壁面などにセットして使用出来るように保持するための保持具であり、特にはベッドのパイプやパーソナルコンピュータ周囲のパイプなどに取付けることが出来るティッシュペーパー箱用保持具に関する。
【０００２】
【従来の技術】
一般にティッシュペーパー箱を壁面或いは冷蔵庫や家具などに固定して使用するための保持具としては、板材がコの字状に折曲されて保持本体を形成し、該保持本体の一面に弾力性を有する挟着片が設けられ、ティッシュペーパー箱を保持本体に挟着すると共に該保持本体が壁面や冷蔵庫などの平面部に取付けるための取付手段を備えたティッシュペーパー箱用保持具がある。
【０００３】
【発明が解決しようとする課題】
しかしながら前記ティッシュペーパー箱用保持具は平面部に取付けることが出来るが、丸パイプや角パイプなどには安定してティッシュペーパー箱用保持具を固定することは出来なかった。
【０００４】
本発明はパイプに取付けてティッシュペーパー箱をベッドの近くやパーソナルコンピューターの近くなど自在に取付場所が選択出来るティッシュペーパー箱用保持具を提供することを目的とする。
【０００５】
他の目的としては、ティッシュペーパー箱の向きが横や縦又は水平或いは吊下状態でも自在に対応出来るティッシュペーパー箱用保持具を提供するにある。
【０００６】
【課題を解決するための手段】
本発明は上記現状に鑑みて成されたものであり、つまり従来のコの字状な保持本体の一面両端部には、吸盤を設けると共に結束バンドを備えた構造とする。また保持本体の一面の外側には、中央部が軸支された可動板を設け、吸盤と結束バンドが可動板から保持本体の一面に貫通して設けられるようにすると良く、保持本体に逃げ溝を設けると良い。
【０００７】
【発明の実施の形態】
図１、図３は本発明の実施形態を示す図であり、これに基づいて説明する。（１）はステンレス板がコの字状に折曲されて形成した保持本体であり、該保持本体（１）の立設する正面中央には、ティッシュペーパー箱（７）の取出口（７１）が開放されるためのＵ字状やコの字状などの逃げ溝（１１）を設けており、また正面の四隅には、後述する取付手段（３）として吸盤が用いられる時に取付けるためのダルマ型の穴（１２）が穿設され、且つ上側及び下側の穴（１２）の中間には、それぞれ取付ネジを挿入するための取付穴（１３）が穿設されている。更に上面両端部にはダルマ型の穴（１２）が穿設されると共に後述する結束バンド（５）を取付けるための角状なバンド用穴（１４）が設けられている（図３参照）。尚、前記保持本体（１）の材質はステンレス板を用いることが好ましいが、他の材質のものでも良い。また薄板材を用いた際に強度が増加されるように、周囲に折曲片を設けると良い。（２）は保持本体（１）の上面に設けた弾力性を有する挟着片であり、該挟着片（２）はティッシュペーパー箱（７）が外側から押入れられる時にスムーズに入るように内側へ湾曲している（図２参照）。
【０００８】
（３）は保持本体（１）の正面に設ける取付手段であり、該取付手段（３）としては、壁面や茶ダンスなどの平面部に取付けるために吸盤，取付ネジ，両面粘着テープなどを用いると良い。尚、それぞれの取付手段（３）を揃えておき、取付場所に合わせて使い分けるようにしても良い。（４）は保持本体（１）の上面両端部に設ける吸盤であり、取付手段（３）として用いる吸盤を兼用すると良い。尚、前記吸盤（４）には前記穴（１２）に嵌合する溝が設けられている。（５）は保持本体（１）の上面両端部に備える合成樹脂製の結束バンドであり、該結束バンド（５）には凹凸部が内側表面に設けられており、且つその凹凸部に係止可能な爪が設けられているものを用いると良い。（６）は保持本体（１）の上面に重ねて設けたステンレス板の可動板であり、該可動板（６）は保持本体（１）の上面と同じ大きさの板状で且つ中央部が支持軸（６３）で軸支されている。また前記可動板（６）には、保持本体（１）の上面両端部に設けたダルマ型の穴（１２）と角状なバンド用穴（１４）が重なるようにバンド穴（６１）とダルマ穴（６２）が穿設されている。また薄板材を用いた際、強度を増す目的で図中のように両辺を折曲させると良い。尚、前記可動板（６）は図３に示すように必ずしも必要ではない。
【０００９】
次に本発明品の取付方法について説明する。先ず図４に示すようにパイプ（８）に本発明品を取付けて使用する場合について説明する。先ず始めに保持本体（１）と可動板（６）の上面に吸盤（４）と結束バンド（５）を取付ける。この時は始めに吸盤（４）をダルマ穴（６２）から穴（１２）に差込んで２つ取付ける。その後、結束バンド（５）をバンド穴（６１）からバンド用穴（１４）に通して２本取付ければ良い。尚、図３に示す保持本体（１）を使用する場合には、保持本体（１）の上面に吸盤（４）と結束バンド（５）を直接に取付ける。又、取付手段（３）として吸盤が４つ用意されているので、２つを吸盤（４）として使用するのが好ましく、且つ残った２つは保持本体（１）の正面の穴（１２）に取付けておくと、紛失する心配がなくなる。これで準備が完了する。次に本発明品を病院のベッドやパソコンの机或いは車椅子等の適宜なパイプ（８）に吸盤（４）を当て、位置を決定する。その後、結束バンド（５）で緊締し固定させる。この時、本発明品は吸盤（４）を介在させて結束バンド（５）で固定することにより、丸パイプであっても滑り落ちることがなく、安定して確実に取付けられると共に丸パイプなどの傷防止の役目も果たすものとなるのである。そしてティッシュペーパー箱（７）を本発明品に取付ければ良い。ティッシュペーパー箱（７）を取付ける際には、それを正面に向って軽く押すことにより、ティッシュペーパー箱（７）は保持本体（１）と弾力性を有する挟着片（２）によって保持される。このようにすれば病院のベッド，パソコン，車椅子等の身近なところからティッシュペーパーの取出しが可能となるのである。尚、本発明品をパイプ（８）から外す時には、結束バンド（５）の爪を凹凸部から外すことにより、取外すことが可能となる。
【００１０】
次に図５に示すように机やテーブルなどの下に本発明品を取付けて使用する場合について説明する。先ず始めに吸盤（４）と結束バンド（５）が取付けられていない状態で、可動板（６）を回して保持本体（１）の上面と略直角にする。そして吸盤（４）を可動板（６）と保持本体（１）のそれぞれの上面両端部に嵌め込み、吸盤（４）は４箇所に取付けられる。この時は結束バンド（５）が不要なので取外しておく。次に机やテーブルなど取付ける場所の下に吸盤（４）を押付け、本発明品を固定させる。この時、可動板（６）は保持本体（１）の上面と面一ではないが、可動板（６）は薄板であるので、４つの吸盤（４）は浮くことなく平面に吸着出来る。尚、本発明品を固定する時には、ガラス面以外の表面に凹凸がある場合には、補助板等を取付けて吸盤（４）を使用することが好ましい。その後、上記同様にしてティッシュペーパー箱（７）を本発明品に取付ければ良い。すると、座っている机やテーブルの下にティッシュペーパー箱（７）が設置されるので、何時でもティッシュペーパーを取出すことが可能となる。しかも机やテーブルの下にあるので、邪魔にならないものとなる。尚、前記吸盤（４）をガラス面に取付ける時には吸盤面に水分を付けてから圧力を加えて取付けると密着性が良くなる。また吸盤（４）を取付ける際には、ダルマ型の穴（１２）の大きな穴に入れ溝側を小さい穴に挿入し嵌合させて取付け、且つ吸盤（４）が外れ易いように突起部を外側に向けると良い。又、前記保持本体（１）の上面と可動板（６）に吸盤（４）を取付けた本発明品は、机やテーブルの下へ吊下状態で取付けられるだけでなく、横にして茶ダンスや家具の側面などに取付けても良い。
【００１１】
図６は椅子の下に本発明品を取付けて使用する場合を示す図であり、これについて説明する。先ず始めに保持本体（１）の背面（正面の裏側）に取付手段（３）である両面粘着テープを図中の斜面部分のように貼着する。次に前記両面粘着テープの剥離紙を剥がして椅子の下の内側に接着する。すると図中に示すように保持本体（１）の背面が表側に来る。この時、本発明品の固定状態に不安がある時には、別に用意した取付ネジを用いて、取付穴（１３）に挿入して内側から取付けると良い。次にティッシュペーパー箱（７）を設置する場合について説明する。先ずティッシュペーパー箱（７）の取出口（７１）側を、椅子の内側から保持本体（１）に向って軽く押すことにより、ティッシュペーパー箱（７）は簡単に保持される。この時、保持本体（１）の逃げ溝（１１）に、ティッシュペーパー箱（７）の取出口（７１）が内側へ来るように合わせて位置を決める。このようにすれば椅子の下の内側にティッシュペーパー箱（７）が設置され、且つ椅子の外側に出っ張ることがないため、歩く際に接触したり、邪魔になったりする恐れがないものとなる。従って、椅子に座ったまま手を伸ばすだけでティッシュペーパーの取出しが可能となるのである。尚、本発明品は上記以外に、一般的な使用として壁面や冷蔵庫或いは家具の側面などに自在に取付けることが出来ると共に、自動車のガラス面に取付けることが出来るものとなる。更にティッシュペーパー箱（７）の取付方向は水平方向や垂直方向或いは吊下状態でも自在なものとなる。
【００１２】
【発明の効果】
本発明はこのように構成させたことにより、下記に記載する効果を有する。
【００１３】
請求項１のように従来のコの字状な保持本体（１）の一面両端部に吸盤（４）を設けると共に結束バンド（５）を備える構造とすることにより、パイプ（８）に取付けてティッシュペーパー箱（７）をベッドの近くや車椅子などへ自在に設置することが出来るため、病院の入院患者や身障害者にとって極めて使用し易い便利なものとなる。また自動車のガラス面など適当な場所に取付けることができるため、運転者が運転しながらティッシュペーパーの使用が可能となる。しかも従来と同様な使用方法が可能であるため、冷蔵庫や茶ダンスなどの平面部に取付けることが出来る。
【００１４】
請求項２のように保持本体（１）に、ティッシュペーパー箱（７）の取出口（７１）が開放されるための逃げ溝（１１）を設けることにより、保持本体（１）の裏面を外側にして取付けることが出来るため、椅子の下やテーブルの下などに取付けると、ティッシュペーパー箱（７）を取付けても出っ張ることなく収まる。このため、ティッシュペーパー箱（７）を取付けた場所の近くを通る際、ティッシュペーパー箱（７）が邪魔になることなく、つまずいたり転んだりする恐れもなくなり、老人の居る家や足に障害がある人が使用すれば、安心して歩行でき、便利なものとなる。
【００１５】
請求項３に示すように保持本体（１）の一面の外側に中央部が軸支された可動板（６）を設け、その一面と同じ大きさの板状で且つ吸盤（４）と結束バンド（５）が可動板（６）から保持本体（１）の一面に貫通して設けられることにより、請求項１と同様の効果が得られると共に可動板（６）を回転させて保持本体（１）の一面と直角にさせた後、可動板（６）と保持本体（１）の両端部に吸盤（４）を設けることにより、ティッシュペーパー箱（７）の向きが吊下状態や水平状態或いは縦横へ自在に取付けることが出来るため、最も取り易い場所にティッシュペーパー箱（７）を備えることが出来る。
【００１６】
請求項４に示すように取付手段（３）として吸盤を用いると、サイドボードや茶ダンスなどのガラス面に、或いは洗面所などの鏡面、ガラス製のテレビ台などの面に安心して取付けることが出来るものとなる。また取付手段（３）として取付ネジを用いると、壁面や家具等の取付面に凹凸が有っても取付けることができ、しかも長期間に渡って確実に固定することが可能となる。更に取付手段（３）として両面粘着テープを用いると、取付作業が極めて簡単で且つ取付けるための広さが確保出来る場所であれば、ガラス面や木製面或いはスチール面及び凹凸部がある面であっても本発明品の取付け固定が可能となる。
【図面の簡単な説明】
【図１】本発明の実施形態を示す斜視図である。
【図２】図１を横にした状態を示す斜視図である。
【図３】別実施形態を示す斜視図である。
【図４】本実施形態がパイプに取付けられた状態を示す説明図である。
【図５】本実施形態の可動板を回転して吸盤が４つ取付けられた状態を示す斜視図である。
【図６】本実施形態が椅子の下に出っ張らずに取付けられた状態を示す説明図である。
【符号の説明】
１　保持本体
１１　逃げ溝
２　挟着片
３　取付手段
４　吸盤
５　結束バンド
６　可動板
７　ティッシュペーパー箱
７１　取出口
【図１】
2004042946.tif 000003
【図２】
2004042946.tif 000004
【図３】
2004042946.tif 000005
【図４】
2004042946.tif 000006
【図５】
2004042946.tif 000007
【図６】
2004042946.tif 000008